(57)【要約】【課題】冷却水温の上昇を予測し、ぎりぎりまでフラップの閉状態を維持させることで、エンジンの冷却性能と空力特性との双方をバランス良く調和させ、燃費向上を実現させる。【解決手段】冷却水温Ｔｗと暖機終了判定値Ｗとを比較し（Ｓ１０）、Ｔｗ≧Ｗの暖機運転終了と判定したときは、燃料噴射量に基づいて算出した燃料消費率Ｔｉと、車速毎に設定されている高温燃焼判定値Ｔとを比較し（Ｓ１２）、Ｔｉ＜Ｔの場合は、導風ユニット１２に設けられている、ラジエータ７に対する外気の通風量を制御する上側フラップ１６を閉動作させる運転モード３を実行する（Ｓ１４）。又、Ｔｉ≧Ｔの場合は、上側フラップ１６を閉動作させる運転モード１或いは２を実行する（Ｓ５，Ｓ６）。【選択図】図３
2011068292.tif 000002
【特許請求の範囲】
【請求項１】
エンジン内を循環する冷却水を冷却するラジエータと、
前記ラジエータに対する外気の通風量を制御するフラップを有する導風ユニットと、
前記フラップの開閉を制御する制御部と
を備え、
前記制御部は、
エンジン負荷に関するパラメータと車速に基づいて設定したエンジンが高温燃焼することを予測する高温燃焼判定値とを比較して高温燃焼が予測されるか否かを判定する高温燃焼判定手段と、
前記高温燃焼判定手段で、前記エンジン負荷に関するパラメータが前記高温燃焼判定値よりも低い場合は高温燃焼が予測されないとして前記フラップを閉動作させ、前記エンジン負荷に関するパラメータが前記高温燃焼判定値を越えていると判定した場合は高温燃焼が予測されるとして該フラップを開動作させるフラップ動作制御手段と
を備えることを特徴とする車両のラジエータ通風量制御装置。
【請求項２】
前記エンジン負荷に関するパラメータには、燃料噴射量、エンジントルク値又はエンジン負荷のいずれかが含まれていることを特徴とする請求項１記載の車両のラジエータ通風量制御装置。
【請求項３】
前記高温燃焼判定手段で設定される前記高温燃焼判定値は、平地一定速走行時の前記エンジン負荷に関するパラメータと登坂路一定速走行時の前記エンジン負荷に関するパラメータとの間に設定されていることを特徴とする請求項１又は２記載の車両のラジエータ通風量制御装置。
【発明の詳細な説明】
【技術分野】
【０００１】
本発明は、導風ユニットにて、ラジエータを通過する外気の通風量を制御する車両のラジエータ通風量制御装置に関する。
【背景技術】
【０００２】
周知のように、自動車等の車両では、車両前部に設けられているフロントバンパやフロントグリル等に形成されている開口部から外気（冷却風）を導入し、導入した外気をエンジンルームの前部に配設されているラジエータを通過させることで、エンジンの熱を吸熱して昇温されている冷却水を冷却する。
【０００３】
ところで、エンジンルームに導かれる外気は、走行時においては空気抵抗となり、燃費悪化を招くことになる。そのため、エンジンルームに導入する外気は必要最小限であることが望ましい。
【０００４】
ラジエータを通過させる外気を制御する技術として、特許文献１（特開２０００−１３０１６７号公報）には、フロントグリルとラジエータとの間に、導風ユニットを設け、冷却水温が設定温度（９０[℃]）未満のときは、導風ユニットのフラップを閉じ、ラジエータに対する外気の通風量を制限することでラジエータを流れる冷却水の過冷却を防止すると共に、エンジンルームに導入される外気の通風量を制限して空力特性（ｃｄ値）を向上させ、燃費を向上させる技術が開示されている。尚、冷却水温が設定温度（９０[℃]）以上のときは、導風ユニットのフラップを開くことで、ラジエータを通過させる冷却風量を増加させて冷却効率を高める。
【発明の概要】
【発明が解決しようとする課題】
【０００５】
しかし、上述した文献に開示されている技術では、冷却水が設定温度を越えたときに導風ユニットのフラップを開くようにしているが、冷却水温はエンジンから吸熱して温度上昇するため、例えば、加速走行や登坂走行のような高負荷運転時において、冷却水温が設定温度を越えたことを検知し、導風ユニットのフラップを開いて、ラジエータに冷却風を導入しても、冷却水温が上昇過程にあるため、この温度上昇を直ちに抑制することはできず、冷却不足によりエンジン性能が一時的に低下してしまう問題がある。
【０００６】
これに対処するに、フラップの開閉時期を判定する設定温度を低くし、冷却風を比較的早期にラジエータへ導くようにすることも考えられるが、設定温度を低くするとフラップの開いている時間が長くなり、相対的にエンジンルームに導入する冷却風量が多くなり、これが空気抵抗となって燃費の悪化を招いてしまう問題がある。
【０００７】
本発明は、上記事情に鑑み、冷却水温の上昇を予測し、ぎりぎりまでフラップの閉状態を維持させて、閉時間を長くし、エンジンの冷却性能と空力特性との双方をバランス良く調和させて、燃費向上を実現させることのできる車両のラジエータ通風量制御装置を提供することを目的とする。
【課題を解決するための手段】
【０００８】
上記目的を達成するため本発明による車両のラジエータ通風量制御装置は、エンジン内を循環する冷却水を冷却するラジエータと、前記ラジエータに対する外気の通風量を制御するフラップを有する導風ユニットと、前記フラップの開閉を制御する制御部とを備え、前記制御部は、エンジン負荷に関するパラメータと車速に基づいて設定したエンジンが高温燃焼することを予測する高温燃焼判定値とを比較して高温燃焼が予測されるか否かを判定する高温燃焼判定手段と、前記高温燃焼判定手段で、前記エンジン負荷に関するパラメータが前記高温燃焼判定値よりも低い場合は高温燃焼が予測されないとして前記フラップを閉動作させ、前記エンジン負荷に関するパラメータが前記高温燃焼判定値を越えていると判定した場合は高温燃焼が予測されるとして該フラップを開動作させるフラップ動作制御手段とを備えることを特徴とする。
【発明の効果】
【０００９】
本発明によれば、エンジン負荷に関するパラメータと車速に基づいて設定した高温燃焼判定値とを比較し、高温燃焼が予測されない場合、すなわち、冷却水温の上昇が予測されない場合は、導風ユニットに設けられているフラップを閉動作させて、エンジンルームに導入される外気を制限するようにしたので、暖機運転が終了と判定された後も、ぎりぎりまでフラップの閉状態を維持させることができる。その結果、走行時におけるフラップの閉時間が長くなり、エンジンの冷却性能と空力特性との双方をバランス良く調和させて、燃費向上を実現させることができる。
【図面の簡単な説明】
【００１０】
【図１】ラジエータ通風量制御装置を搭載する車両の断面側面図
【図２】ラジエータ通風量制御装置の機能ブロック図
【図３】ラジエータ通風量制御ルーチンを示すフローチャート
【図４】導風ユニットに設けられているフラップを開閉させるしきい値を設定する特性図
【発明を実施するための形態】
【００１１】
以下、図面に基づいて本発明の一実施形態を説明する。図１に示すように、車両の一例である自家用自動車の車体前部１は、前部にフロントバンパ３が設けられ、このフロントバンパ３の上部にフロントグリル４が設けられ、内部にエンジンルームＥが設けられている。更に、車体前部１の上部にフロントフード５が設けられ、このフロントフード５にて、エンジンルームＥの上部が開閉自在に覆われている。エンジンルームＥにはエンジン６等のパワーユニットが搭載されている。
【００１２】
又、エンジン６の前方に、このエンジン６内を循環する冷却水を冷却するラジエータ７が配設されている。このラジエータ７の後部にシュラウド７ａが設けられ、このシュラウド７ａに、図示しないラジエータ冷却用電動ファン（以下、「ラジファン」と略称）が設けられている。更に、このラジエータ７の前方に、車両用空調装置の冷凍サイクルを構成するコンデンサ８が配設されている。
【００１３】
このコンデンサ８は、周知のサブクールコンデンサであり、上部にコンデンサ部８ａが設けられ、下部（高さ方向の約１／４の位置）にサブクール部８ｂ（図１のハッチング部）が設けられている。コンデンサ部８ａとサブクール部８ｂとはモジュレータ（図示せず）を介して連通されている。コンデンサ部８ａに流入された気相冷媒は、ここで冷却されて大部分が液相冷媒となりモジュレータ（図示せず）に流入する。そして、モジュレータ（図示せず）に流入した冷媒は、ここで、気相冷媒と液相冷媒とに分離され、液相冷媒がサブクール部８ｂへ流入される。
【００１４】
このサブクール部８ｂに流入された冷媒は、更に冷却されて、１００[％]に近い液相冷媒となる。従って、コンデンサ８は、少なくともサブクール部８ｂを冷却すれば空調装置の冷房能力を確保することができる。
【００１５】
ラジエータ７、シュラウド７ａ、及びコンデンサ８が、その前方に配設されているラジエータパネル９（図１参照）に固設されている。このラジエータパネル９は略矩形枠状に形成されており、その車幅方向両側が、車幅方向に左右に配設されて車体の前後方向へ延出する一対のフロントサイドフレーム（図示せず）に固設されている。
【００１６】
又、ラジエータパネル９にフロントグリル4と一体化されたフロントバンパ３が連結されている。このフロントバンパ３の下部の車幅方向中央に下部外気導入口３ａが開口されている。又、フロントグリル４の車幅方向中央に上部外気導入口４ａが形成されている。
【００１７】
更に、このフロントバンパ３及びフロントグリル４と、ラジエータパネル９との間の空間に導風ユニット１２が配設されている。この導風ユニット１２は、矩形枠状のダクトフレーム１２ａを有し、このダクトフレーム１２ａの後部がラジエータパネル９の前部に固設されている。図１に示すように、ダクトフレーム１２ａはフロントバンパ３及びラジエータパネル９の間の空間に対応した車体前後方向の奥行きを有し、且つコンデンサ８全体をカバーする面積を有している。
【００１８】
この導風ユニット１２のダクトフレーム１２ａの下部と上部の、フロントバンパ３とフロントグリル４とに開口されている各外気導入口３ａ，４ａの対応する位置に、下部導入口１３ａと上部導入口１３ｂとが形成され、この両導入口１３ａ，１３ｂ間の前面の、風が流れない領域にブランクパネル１４が配設されている。更に、この両導入口１３ａ、１３ｂの前面に、この導入口１３ａ，１３ｂを開閉して、ラジエータ７に対する外気の通風量を制御する各フラップ１５，１６が配設されている。
【００１９】
図１に示すように、下部導入口１３ａは、その上下方向の約半分を開閉する１枚のフラップ１５が車幅方向に延在されている。又、上部導入口１３ｂには、この上部導入口１３ｂ全体を開閉する３枚のフラップ１６が車幅方向に延在されている
この３枚の各フラップ１６は、横長の矩形状あって、上側の２枚のフラップ１６が平板状の縦断面形状を有し、最下段のフラップ１６が、下端側を前方へ屈曲させたくの字状の断面形状を有している。又、各フラップ１６は、上下方向の中央に支持軸１６ａが設けられ、各支持軸１６ａがリンク機構（図示せず）を介して、駆動用アクチュエータの一例である駆動モータ２２に連設されている。尚、この各フラップ１６はリンク機構を介して同じ動作をするため、以下においては、これらを上側フラップ１６と総称して説明する。
【００２０】
一方、下側フラップ１５の上端に連設する支持軸１５ａの両端がダクトフレーム１２ａの両側面に回動自在に支持されている。この下側フラップ１５は自重により垂立されており、この下側フラップ１５の垂立された状態における前面下端に電磁石２３が対峙されている。この電磁石２３はダクトフレーム１２ａに固設されており、通電させることで磁界が発生して、下側フラップ１５の下端が吸着される。
【００２１】
図２に示すように、この駆動モータ２２、及び電磁石２３は、導風制御ユニット２１に設けられている。この導風制御ユニット２１は、制御部２４、モータ駆動部２５、電磁駆動部２６、及び駆動モータ２２が一体化された単機能のインテリジェントアクチュエータである。
【００２２】
又、この制御部２４がボディ統合制御装置（ＢＣＵ）３１に接続されている。更に、このＢＣＵ３１に、ＣＡＮ(Controller Area Network)通信等の車内通信回線３２を通じて、エンジン制御装置（Ｅ／Ｇ＿ＥＣＵ）３３、エアコン制御装置（Ａ／Ｃ＿ＥＣＵ）３４等の各種制御装置が、相互通信可能に接続されている。これら各制御装置３１，３３，３４等は、マイクロコンピュータを主体に構成され、周知のＣＰＵ、ＲＯＭ、ＲＡＭ、ＥＥＰＲＯＭ等の不揮発性記憶手段等を有している。
【００２３】
Ｅ／Ｇ＿ＥＣＵ３３は、車速を検出する車速センサ、運転者のアクセルペダルの踏込み量を検出するアクセル開度センサ、エンジン回転数を検出するエンジン回転数センサ、吸入空気量を検出する吸入空気量センサ、冷却水温Ｔｗ［℃］を検出する水温センサ、排気空燃比を検出する空燃比センサ等、エンジン６の運転状態を検出する各種センサ類に基づいて、電子制御スロットルに設けられているスロットル弁の開度、インジェクタに対する燃料噴射量、点火プラグから点火火花を発生させるための点火タイミング等、エンジン６を統括的に制御する。更に、このＥ／Ｇ＿ＥＣＵ３３では、冷却水温Ｔｗ、車速、後述するエアコンスイッチ及び冷媒中圧スイッチのＯＮ／ＯＦＦに基づいて、ラジファンの駆動を制御する。
【００２４】
又、Ａ／Ｃ＿ＥＣＵ３４は、乗員がエアコンスイッチをＯＮした際に、外気温Ｔｏｕを検出する外気温センサ、車室内温度を検出する室内温度センサ、車両周辺の日射量を検出する日射センサ、冷媒中圧スイッチ等、エアコンを制御するのに必要なセンサ類からの信号に基づき、予め設定した室内温度を目標温度として設定し、車室内温度を目標温度に収束させるようにエアーコンディショナを制御する。尚、冷媒中圧スイッチは、冷媒通路の高圧側ラインに設けられており、冷媒圧力が上昇し、ある設定した閾値を越えるとＯＮ作動し、低圧状態にあるときはＯＦＦ状態にある。
【００２５】
ＢＣＵ３１は、異なる通信速度を有する制御装置間を接続するゲートウェイであり、本実施形態では、導風制御ユニット２１の制御部２４において実行される制御に必要なパラメータが、ＢＣＵ３１を介して読込まれる。
【００２６】
導風制御ユニット２１の制御部２４では、各種パラメータに基づき、下側フラップ１５を吸着する電磁石２３に対する通電／非通電制御、及び上側フラップ１６の開閉制御を行う。具体的には、図３に示すラジエータ通風量制御ルーチンに従って処理される。
【００２７】
このルーチンは、イグニッションスイッチ（図示せず）がＯＮされると起動し、先ず、ステップＳ１で、外気温センサで検出した外気温Ｔｏｕと予め設定されている冷却温度判定値Ｘ［℃］とを比較する。この冷却温度判定値Ｘは、各フラップ１５，１６が閉じられた状態であっても、充分にエンジン冷却を得ることのできるしきい値であり、本実施形態では、制御ハンチングを防止するためのヒステリシスとして、オフセット温度が設定されている。
【００２８】
すなわち、外気温Ｔｏｕが低下して冷却温度判定値Ｘ以下（Ｔｏｕ≦Ｘ）となった場合の冷却温度判定値Ｘは、予め設定されている基本判定温度α（例えば−５[℃]）で設定され（Ｘ←α）、又、外気温Ｔｏｕが上昇して冷却温度判定値Ｘを超過した場合の冷却温度判定値Ｘは、基本判定温度αにオフセット温度Ｋ１（例えば＋２[℃]）を加算した値（Ｘ←α＋Ｋ１）に設定される。そして、外気温Ｔｏｕが冷却温度判定値Ｘ以下（Ｔｏｕ≦Ｘ）の場合は、基本的に、両フラップ１５，１６が閉じられ、空力特性（ｃｄ値）の向上、及び過剰冷却の防止が図られる。
【００２９】
そして、Ｔｏｕ＞Ｘ（＝α＋Ｋ１）の場合はステップＳ２へ進み、Ｔｏｕ≦Ｘ（＝α）の場合はステップＳ３へ分岐する。ステップＳ３では、外気温センサの異常判定を行う。本実施形態では、外気温センサが異常か否かを、ラジファンが高速回転しているか否かで調べる。ラジファンの駆動は、Ｅ／Ｇ＿ＥＣＵ３３にて、外気温センサの出力値にとは無関係に、車速と冷却水温とに基づいて制御される。外気温が氷点下にある場合、エンジン６は昇温し難く、冷却水温Ｔｗは１００[℃]以下の状態となる。そのため、通常であれば、ラジファンは高速（Ｈｉ）回転せず、停止、或いは低速回転する。
【００３０】
従って、上述したステップＳ３で、ラジファンが高速（Ｈｉ）回転してないと判定した場合は、外気温センサは正常であると判定し、ステップＳ１３へジャンプし、運転モード３を実行してルーチンを抜ける。
【００３１】
一方、ラジファンが高速（Ｈｉ）回転している場合は、外気温センサが故障していると判定し、ステップＳ４へ進み、フェイルセーフ制御を実行する。先ず、ステップＳ４では、水温センサで検出した冷却水温Ｔｗと高水温判定値Ｈとを比較する。この高水温判定値Ｈは、冷却水温Ｔｗが高温か否かを判定するしきい値であり、本実施形態では、制御ハンチングを防止するためのヒステリシスとして、オフセット温度が設定されている。
【００３２】
すなわち、冷却水温Ｔｗが低温状態から上昇して高水温判定値Ｈ以上（Ｔｗ≧Ｈ）となった場合の高水温判定値Ｈは、予め設定されている基本判定温度β（例えば１０４[℃]）で設定され（Ｈ←β）、又、冷却水温Ｔｗが高温から次第に低下して高水温判定値Ｈ未満となる場合に採用する高水温判定値Ｈは、基本判定温度βにオフセット温度Ｋ２（例えば−２[℃]）を加算した値（Ｈ←β＋Ｋ２）に設定される。
【００３３】
そして、冷却水温Ｔｗが高水温判定値Ｈ以上（Ｔｗ≧Ｈ）の場合は、ステップＳ５へ進み、運転モード１を実行してルーチンを抜ける。又、冷却水温Ｔｗが高水温判定値Ｈ未満（Ｔｗ＜Ｈ）の場合は、ステップＳ６へ進み、運転モード２を実行してルーチンを抜ける。尚、ステップＳ５，Ｓ６、及び後述するステップＳ１４で制御する各運転モード１〜３に応じた上側フラップ１６の開閉動作を実行する処理が、本発明のフラップ動作制御手段に対応している。
【００３４】
各運転モード１〜３は、以下のような制御動作を行う。
【表１】
2011068292.tif 000003
【００３５】
尚、この各運転モード１〜３に対応する制御信号が、上側フラップ１６を駆動させるモータ駆動部２５と下側フラップ１５を開動作させる電磁駆動部２６とに出力される。
【００３６】
モータ駆動部２５では、制御部２４から出力される制御信号に基づき、モータ２２を正転或いは逆転させて、上部フラップ１６を開閉動作させる。又、電磁駆動部２６では、制御部２４から出力されるＯＮ／ＯＦＦ信号に従い、電磁石２３に対してＯＮ信号の場合は通電し、ＯＦＦ信号の場合は非通電する。電磁石２３が通電されると磁界が発生して下側フラップ１５が吸着され閉状態となる。一方、電磁石２３に対する通電を遮断（非通電）すると、下側フラップ１５は回動自在となり、停車中は自重により垂立し、走行中は走行風により自然開放される。
【００３７】
ところで、図２に示すように、上側フラップ１６は駆動モータ２２により開閉動作させる構造を有しているが、下側フラップ１５は、電磁石２３により閉状態が維持されている。前述したように、下側フラップ１５は上端を支持軸１５ａに支持させた状態で自重により垂立されており、この垂立された状態で前側下端が電磁石２３に吸着されている。従って、走行中に電磁石２３に対する通電を遮断すると、下側フラップ１５は前方からの走行風により開状態となり、以後、例え電磁石２３に磁力を発生させても、下側フラップ１５は車速が低下して走行風が弱くなるまで閉じることはない。
【００３８】
このように、下側フラップ１５は、それが一旦開放されてしまうと、車速が低下して走行風が弱くなるまで、或いは車両が停車するまでは、この下側フラップ１５を再び閉じることができず、走行中の空力特性が悪くなる。そのため、本実施形態では、ラジファンが高速（Ｈｉ）回転している状態であっても、冷却水温Ｔｗが高水温判定値Ｈを超過するまでは、運転モード２を実行させることで、下側フラップ１５の閉状態を維持させるようにしている。
【００３９】
一方、ステップＳ１からステップＳ２へ進むと、外気温Ｔｏｕと予め設定されている凍結防止判定値Ｙ［℃］とを比較する。この凍結防止判定値Ｙは、各フラップ１５，１６が凍結する可能性があるか否かを判定するしきい値であり、本実施形態では、制御ハンチングを防止するためのヒステリシスとして、オフセット温度が設定されている。
【００４０】
そして、外気温Ｔｏｕが凍結防止判定値Ｙ以下（Ｘ＜Ｔｏｕ≦Ｙ）場合は、ステップＳ５へ進み、運転モード１を実行してルーチンを抜ける。すなわち、この温度域では走行中の導風ユニット１２に付着した水分が凝結する可能性があるため運転モード１を実行し、全てのフラップ１５，１６を開動作させ、各フラップ１５，１６が閉状態のまま凍結により固着してしまうことを防止する。
【００４１】
凍結防止判定値Ｙは、予め設定されている基本判定温度γ（例えば３[℃]）で設定され（Ｙ←γ）、又、外気温Ｔｏｕが低下して凍結防止判定値Ｙ以下となった場合の凍結防止判定値Ｙは、基本判定温度γにオフセット温度Ｋ３（例えば＋２[℃]）を加算した値（Ｙ←γ＋Ｋ３）に設定される。
【００４２】
一方、外気温Ｔｏｕが凍結防止判定値Ｙを越えている（Ｔｏｕ＞Ｙ）場合、ステップＳ７へ進み、空力制御を実行する。ステップＳ７では、外気温Ｔｏｕとエアコン負荷判定値Ｚ[℃]とを比較する。このエアコン負荷判定値Ｚは、エアコン負荷が大きくなるしきい値であり、本実施形態では、制御ハンチングを防止するためのヒステリシスとして、オフセット温度が設定されている。
【００４３】
すなわち、外気温Ｔｏｕが低下してエアコン負荷判定値Ｚ未満（Ｔｏｕ＜Ｚ）となった場合のエアコン負荷判定値Ｚは、予め設定されている基本判定温度δ（例えば２８[℃]）で設定され（Ｚ←δ）、又、外気温Ｔｏｕが上昇してエアコン負荷判定値Ｚ以上となった場合のエアコン負荷判定値Ｚは、基本判定温度δにオフセット温度Ｋ４（例えば−２[℃]）を加算した値（Ｙ←γ＋Ｋ４）に設定される。
【００４４】
Ｔｏｕ≧Ｚの場合は外気温Ｔｏｕが高いので、エアコンスイッチがＯＮされていれば、車室内温度吸熱により冷媒圧力が徐々に高くなる。一方、Ｔｏｕ＜Ｚの状態は、外気温Ｔｏｕが低いために冷媒圧力はそれほど高くはならない。そのため、Ｔｏｕ≧Ｚのときは、ステップＳ８ヘ進み、先ず、エアコンスイッチがＯＮから否かを調べる。一方、Ｔｏｕ＜Ｚのときは、ステップＳ９へ進む。
【００４５】
そして、ステップＳ８でエアコンスイッチがＯＦＦと判定したときは、ステップＳ１０へジャンプする。又、エアコンスイッチがＯＮと判定したときは、ステップＳ１１へ進み、冷媒中圧スイッチの状態を調べる。そして、冷媒中圧スイッチがＯＮのときは、冷媒圧力が上昇しているため、ステップＳ５へ戻り、運転モード１を実行し、両フラップ１５，１６を開放させてルーチンを抜ける。その結果、両フランジ１５，１６が共に開動作すると、走行風（冷却風）が上下導入口１３ａ，１３ｂからエアコンのコンデンサ８に導入されるため、冷媒圧力の上昇が抑制され、冷房能力が高められる。
【００４６】
一方、冷媒中圧スイッチがＯＦＦの場合は、ステップＳ１５へジャンプし、冷却水温Ｔｗと高水温判定値Ｈとを比較する。そして、Ｔｗ≧Ｈの場合は、ラジエータ７の冷却性能を高める必要があるため、ステップＳ５へ戻り、運転モード１を実行し、両フラップ１５，１６を開放させてルーチンを抜ける。又、Ｔｗ＜Ｈの場合は、ステップＳ６へ進み、運転モード２を実行し、上側フラップ１６のみを開動作させて、ルーチンを抜ける。
【００４７】
又、ステップＳ７からステップＳ９へ進むと、冷媒中圧スイッチがＯＮか否かを調べる。ここでは、エアコンスイッチをＯＮした後に、冷媒中圧スイッチがＯＮしたか否かを調べるものであり、エアコンスイッチがＯＦＦの場合は、冷媒中圧スイッチはＯＦＦのままであるため、ステップＳ１０へ進む。又、エアコンスイッチがＯＮの状態であっても、冷媒中圧スイッチがＯＦＦの場合は、ステップＳ１０へ進む。一方、冷媒圧力が上昇して、冷媒中圧スイッチがＯＮになっている場合、すなわち、外気温Ｔｏｕがエアコン負荷判定値Ｚ未満（Ｔｏｕ＜Ｚ）であるにも拘わらず、エアコンスイッチのＯＮにより冷媒圧力が上昇し、冷媒中圧スイッチがＯＮしているときは、ステップＳ１５へ進む。尚、ステップＳ１５での処理は既述したため説明を省略する。
【００４８】
又、ステップＳ８或いはステップＳ９からステップＳ１０へ進むと、冷却水温Ｔｗと暖機終了判定値Ｗとを比較する。尚、ここでの処理が本発明の暖機運転終了判定手段に対応している。
【００４９】
この暖機終了判定値Ｗは、暖機運転の終了を判定するしきい値であり、ラジファンが冷却水温Ｔｗに基づいて動作する温度よりも低い値である。又、本実施形態では、この暖機終了判定値Ｗに、制御ハンチングを防止するためのヒステリシスとして、オフセット温度が設定されている。
【００５０】
すなわち、冷却水温Ｔｗが上昇して暖機終了判定値Ｗ以上（Ｔｗ≧Ｗ）となった場合の暖機終了判定値Ｗは、予め設定されている基本判定温度η（例えば９８[℃]）で設定され（Ｗ←η）、又、冷却水温Ｔｗが低下して暖機終了判定値Ｗ未満となった場合の暖機終了判定値Ｗは、基本判定温度ηにオフセット温度Ｋ５（例えば−２[℃]）を加算した値（Ｗ←η＋Ｋ５）に設定される。この暖機終了判定値Ｗは、冷却系に設けられているサーモスタットバルブの開き始め温度よりも低い温度に設定されている。サーモスタットバルブは、冷却水温が低いときは閉じることでラジエータ７へ流れる冷却水量を制限し、冷却水温の上昇により徐々に開いてラジエータ７に流れる冷却水量を増量させる。
【００５１】
そして、Ｔｗ≧Ｗの場合は、暖機運転終了と判定してステップＳ１２へ進み、Ｔｗ＜Ｗの場合は、暖機中と判定してステップＳ１４へ進む。ステップＳ１４では、運転モード３を実行し、各フラップ１５，１６を全て閉動作させて、ルーチンを抜ける。
【００５２】
冷却水温Ｔｗが暖機終了判定値Ｗよりも低い（Ｔｗ＜Ｗ）場合は、サーモスタットバルブが閉じているため、ラジエータ７に冷却水は供給されない。従って、ラジエータ７に対する外気の導入を遮断しても冷却水温が異常に高くなることはない。又、各フラップ１５，１６を全て閉じることで、エンジンルームＥに導入される外気が制限されるため、エンジン６の過剰冷却が防止され、適正温度まで速やかに昇温させることができる。
【００５３】
一方、Ｔｗ≧Ｗと判定されてステップＳ１２へ進むと、Ｅ／Ｇ＿ＥＣＵ３３で設定した燃料噴射量を読込み、この燃料噴射量に基づいてエンジン負荷に関するパラメータの一例である燃料消費率（単位時間当たりの燃料噴射量）Ｔｉを算出し、この燃料消費率Ｔｉと高温燃焼判定値Ｔとを比較する。尚、このステップでの処理が、本発明の高温燃焼判定手段に対応している。
【００５４】
この高温燃焼判定値Ｔは、実際の燃料消費率Ｔｉによる燃焼が、高温燃焼となるか否かを予測するしきい値であり、図４に示すように、車速センサで検出した車速に基づき、予め設定されている高温燃焼判定値テーブルを参照して設定される。
【００５５】
上側フラップ１６は、基本的には車速と冷却水温Ｔｗとに基づいて開閉制御される。しかし、冷却水温Ｔｗの高温化を検出した後に、上側フラップ１６が開いても、冷却水温Ｔｗは上昇過程にあるため、オーバヒートし易くなる。そのため、一般的には、上側フラップ１６の開く冷却水温Ｔｗを低く設定する傾向にある。その結果、上側フラップ１６の開期間が長くなり、その間、エンジンルームＥ内に走行風が入り込んで抵抗となるため、燃費悪化を招いてしまう。
【００５６】
これに対し、本実施形態では、ステップＳ１２において、単位時間当たりの燃料噴射量（燃料消費率）Ｔｉから冷却水温Ｔｗの上昇を予測し、ラジファンの運転状態を無視した場合、燃料消費率Ｔｉが車速に基づいて設定した高温燃焼判定値Ｔを越えるまでは、両フラップ１５，１６を閉じるようにしている（運転モード３）ので、冷却水温Ｔｗが上昇しても、冷却不足の発生しないぎりぎりの温度まで、両フラップ１５，１６を閉状態にしておくことができるので、走行時の空力特性が良くなり、燃費が改善される。又、寒冷走行時においては良好な暖房性能を確保することができる。
【００５７】
ところで、図４に示すように、高温燃焼判定値Ｔは、平地一定速走行時の燃料消費率曲線（以下、「平地一定速走行曲線」と称する）と登坂路一定速走行時の燃料消費率曲線（以下、「登坂路一定速走行曲線」と称する）との間に設定されている。尚、平地一定速走行曲線と登坂路一定速走行曲線とは、予め実験などから車種毎に求めた固定値であり、従って、高温燃焼判定値テーブルには、平地一定速走行曲線と登坂路一定速走行曲線とに基づき、両者の間に収まるような高温燃焼判定値Ｔが格納されている。
【００５８】
平地一定速走行曲線は、平地を一定車速で走行する際に必要な燃料であり、予め実験などから車種毎に求められている。この運転状態は、最も燃費の良い走行であるため、燃料噴射量が少なく発熱量も少ない。従って、フラップ１５，１６を閉じても、エンジンルームＥ内に導入される走行風で、冷却水温Ｔｗの上昇を抑制することができる。又、両フラップ１５，１６を閉じることで、空力特性（ｃｄ値）を向上させることができる。
【００５９】
一方、同図に示す登坂路一定速走行曲線は、例えば８[%]程度の登坂路を一定速度で走行した際の燃料消費率曲線である。このような過酷な走行条件では、車速が速くなるに従い燃料消費率が増加し、エンジン６の温度も上昇するため、各フラップ１５，１６を閉じたままにしておくと、冷却不足によりエンジン６のオーバヒートが誘発されてしまう。
【００６０】
従って、高温燃焼判定値Ｔを、２つの一定速走行曲線の間に設け、少なくとも上側フラップ１６は、実際の燃料消費率が、平地一定速走行曲線よりも低い場合は閉じ、登坂路一定速走行曲線よりも高い場合は必ず開ける必要がある。
【００６１】
本実施形態では、図４に示すように、高温燃焼判定値Ｔを、中車速領域（図においては、６０〜１１０[Km/h]）では、２つの一定速走行曲線の間であって車速に比例して増加する値に設定し、低車速領域（図においては、０〜６０[Km/h]）と高車速領域（図においては、１１０[Km/h]以上）は、２つの一定速走行曲線の間であって、上述した中車速領域の高温燃焼判定値Ｔの両端に接続する一定値に設定している。
【００６２】
この場合、高温燃焼判定値Ｔを、２つの一定速走行曲線の間であって、車速が０[Km/h]のアイドリング状態から高車速領域まで、車速に応じて比例的に増加させることも考えられるが、車速０[Km/h]において、実際の燃料消費率が高温燃焼判定値Ｔを上回り、上側フラップ１６が開いてしまう可能性がある。一方、高車速領域では、燃料噴射量が増加し、実際の燃料消費率が高くなり、エンジン６の発熱量が増加する。そのため、エンジン６のオーバヒートを防止するには、上側フラップ１６を必ず開かなければならない運転領域、すなわち、オーバヒートを誘発する発熱量を発生させる燃料噴射量がある。これを本実施形態では、１１０[Km/h]に設定している。
【００６３】
そのため、本実施形態では、高温燃焼判定値Ｔを、低車速領域及び高車速領域では車速に依存しない一定値とし、中車速領域は車速に応じて増加する比例値とし、各節点を接続することで、高温燃焼判定値Ｔを簡単に導き出すことができるようにした。尚、この高温燃焼判定値Ｔは、テーブル検索によらず、予め設定されている一次式から車速に応じて算出することも可能である。
【００６４】
そして、Ｔｉ＜Ｔの場合は、エンジン６は高温発熱しないと判定し、ステップＳ１３へ進む。又、Ｔｉ≧Ｔの場合は、エンジン６は高温発熱すると判定し、ステップＳ１５へ進む。
【００６５】
ステップＳ１３へ進むと、ラジファンが高速（Ｈｉ）回転しているか否かを調べる。上述したように、ラジファンの駆動は、Ｅ／Ｇ＿ＥＣＵ３３にて、車速と冷却水温とに基づいて制御される。従って、現在の燃料消費率Ｔｉではエンジン６が高温発熱を起こさないと判定される場合であっても、既にラジファンが高速回転している場合は、ラジエータ７に冷却風を導入する必要があるため、ステップＳ１５へ分岐する。このような状況は、例えば停車中を含む低車速領域で、車室内温度が異常に高く、Ａ／Ｃ＿ＥＣＵ３４では、ラジファンを、冷却水温Ｔｗに拘わらず高速（Ｈｉ）回転させている場合、エンジン６の冷却という観点からは、フラップ１５，１６を開く必要はないが、エアコンの冷房性能を確保し、車室内を急冷する必要がある場合などが該当する。
【００６６】
一方、ラジファンが低速回転、或いは停止しているときは、ステップＳ１４へ進み、運転モード３を実行し、各フラップ１５，１６を全て閉動作させて、ルーチンを抜ける。ラジファンが低速回転、或いは停止している状態では、現在の燃料消費率Ｔｉによってもエンジン６が高温発熱しないので、ラジファンの停止、或いは低速回転が継続されると判定される。そのため、このような状況では運転モード３により全てのフラップ１５，１６を閉じることで、空力特性（ｃｄ値）を向上させることができる。
【００６７】
このように、本実施形態によれば、冷却水温Ｔｗが暖機終了判定値Ｗを越えた場合（Ｔｗ≧Ｗ）であっても、直ちに上側フラップ１６を開かせることなく、車速毎の燃料消費率に基づいて冷却水温Ｔｗの上昇を予測し、ぎりぎりまでフラップ１５，１６の閉状態を維持させるようにしたので、走行時における両フラップ１５，１６の閉時間が長くなり、その分、エンジン６の燃焼状態が改善され、空力特性が良くなって燃費が向上するばかりでなく、寒冷地走行時においては良好な暖房性能を確保することができる。その結果、エンジン６の冷却性能と空力特性との双方をバランス良く調和させることができる。
【００６８】
尚、本発明は、上述した実施形態に限るものではなく、例えば採用するエンジンはガソリンエンジンに限らず、ディーゼルエンジンであっても良い。
【符号の説明】
【００６９】
６…エンジン
７…ラジエータ
１２…導風ユニット、
１６…上側フラップ、
２１…導風制御ユニット、
２２…駆動モータ、
２４…制御部、
３３…Ｅ／Ｇ＿ＥＣＵ、
３４…Ａ／Ｃ＿ＥＣＵ、
Ｅ…エンジンルーム
Ｈ…高水温判定値
Ｔ…高温燃焼判定値
Ｔｉ…燃料消費率
Ｔｏｕ…外気温
Ｔｗ…冷却水温
Ｗ…暖機終了判定値
Ｘ…冷却温度判定値
【先行技術文献】
【特許文献】
【００７０】
【特許文献１】特開２０００−１３０１６７号公報
【図１】
2011068292.tif 000004
【図２】
2011068292.tif 000005
【図３】
2011068292.tif 000006
【図４】
2011068292.tif 000007